(57)【要約】【課題】  被災地などで使用する組立て式ベッドの提供。【解決手段】  ベッドは脚部１と台板２から成り、脚部１は垂直に起立した複数枚の段ボール製脚板３，３を複数枚の段ボール製桟４，４，５によって連結し、脚板３には上端から下方へ延びるスリット溝９，１０を設け、桟４，５には下端から上方へ延びるスリット溝１２，１４を形成し、上記脚板３のスリット溝９，１０には桟４，５を嵌め、桟４，５のスリット溝１２，１４には脚板３を嵌めることで互いに組み合せ、上記脚部１，１を所定の間隔をおいて２台配置し、この２台の脚部１，１に２つ折り出来る台板２をそれぞれの脚部１，１の上に載置している。【選択図】    図１
2016106743.tif 000002
【特許請求の範囲】
【請求項１】
被災地などで使用する組立て式ベッドにおいて、該ベッドは脚部と台板から成り、脚部は垂直に起立した複数枚の段ボール製脚板を複数枚の段ボール製桟によって連結し、脚板には上端から下方へ延びるスリット溝を設け、桟には下端から上方へ延びるスリット溝を形成し、上記脚板のスリット溝には桟を嵌め、桟のスリット溝には脚板を嵌めることで互いに組み合わされ、上記脚部を所定の間隔をおいて２台配置し、この２台の脚部に２つ折り出来る台板をそれぞれの脚部の上に載置したことを特徴とする段ボール製の組立て式ベッド。
【請求項２】
上記台板の底面外周には枠板を貼着し、この枠板をガイドとして脚部上端部を嵌めた請求項１記載の段ボール製の組立て式ベッド。
【発明の詳細な説明】
【技術分野】
【０００１】
本発明は大地震、洪水、又は原子力発電所からの放射能漏れなどが発生した災害時に公共の施設へ避難する場合、屋内に設置することが出来る組立て式のベッドに関するものである。
【背景技術】
【０００２】
近年、我国をはじめ世界各国で大きな地震が発生し、その結果、住む家を無くして避難生活を強いられる場合が多く見受けられる。平成２３年３月１１日に発生した東日本大震災では太平洋側の関東から東北全域にわたっての巨大地震に襲われ、しかも地震によって発生した大津波が押し寄せて多くの人や家屋が波にさらわれてしまった。その為に、何十万人もの人が学校、体育館、公民館などの公共施設で避難生活を送ることになった。
最近では、東日本大震災の他にも大雨によって土砂崩れが発生し、避難生活を強いられたケースが何度もある。
【０００３】
ところで、これら公共施設では広い空間に多くの家族が一同に生活することになり、このような場合には色々な苦労や問題がある。その１つにプライバシーに関する問題があり、広い空間での共同生活では個人のプライバシーが確保できず、避難生活が長期にわたると被災者は精神的な苦痛とストレスに悩まされ、場合によっては病気になることがある。
したがって、体育館などの広い空間内で段ボールなどを起立して周りを仕切る人もいるが、段ボールを起立しただけの仕切りは安定せず、しかも仕切りの高さが数十センチ〜１メートル程度であることから、プライバシーを十分に確保することは出来ない。
【０００４】
また、プライバシーの確保と同時に横になって寝る場合の床の問題がある。一般には広い空間の床面に段ボールや毛布などを敷いた状態で眠る場合が殆どである。広い体育館などで人の出入りがあり、周りを歩き回る場所でもある床面に直接横になって寝ることに抵抗を感じる人は多く、しかも硬い床面で体が痛くて眠れないことも多い。しかし、通常使用しているベッドを個人的に搬入することは出来ない。
【０００５】
従来、災害時に簡単に組み立てて使用出来るようにした組立て式ベッドも色々知られている。例えば、特開２００９−５９０２号に係る「段ボール製組立式ベッド」は、災害時の避難所等での使用に便利な段ボール製の組立て式ベッドである。
これは、井桁構造体をカバーで覆ったものであり、具体的にはカバーが上下２枚からなり、その周辺に設けた切込を、井桁構造体の周辺の上下中間位置に設けた切込と噛合わせて構成している。
【０００６】
特開２００７−１６００３０号に係る「携帯収納ベッド」は、支柱・横はり・縦はり・継手を組立て式にすることにより、災害時・避難時の組立及び解体が容易に出来、又プライベート機能を有するベッドであり、また持ち運びを容易にするために解体したパーツは収納ＢＯＸに納めることが出来る。この収納ＢＯＸには肩かけ・リュクかけを設けている。
【特許文献１】特開２００９−５９０２号に係る「段ボール製組立式ベッド」
【特許文献２】特開２００７−１６００３０号に係る「携帯収納ベッド」
【発明の開示】
【発明が解決しようとする課題】
【０００７】
このように、災害が発生した被災地において、横になって寝る際に使用する組立て式のベッドは知られている。しかし、従来の組立て式ベッドは比較的大きくて嵩張り、持ち運びも不便である。本発明が解決しようとする課題はこの問題点であり、被災地へ手軽に搬入して自分で簡単に組立てて使用することが出来る組立て式ベッドを提供する。
【課題を解決するための手段】
【０００８】
本発明の組立て式ベッドは脚部と台板を有し、これら脚部及び台板は段ボール製としている。ところで、上記脚部は複数枚の脚板と複数枚の桟から成り、垂直に起立した脚板は上記桟にて連結され、脚部は単独で転倒することなく丈夫で安定した構造体を構成している。上記脚板には上端から下方へ延びるスリット溝が複数本形成され、また桟には下端から上方へ延びるスリット溝を複数本設けている。
【０００９】
上記脚板と桟はスリット溝を介して噛み合わせることで互いに連結し、連結して構成した脚部は脚板の上端と桟の上端は一致して同一面を成している。ここで、脚部を構成する脚板の枚数は限定しないが、少なくとも両側２枚は必要であり、また脚板を連結する桟の枚数も限定しない。そして、脚部の上に台板が載置されることになるが、対を成す２つの脚部の上に台板が載置される。
【００１０】
一方の台板は上記脚板や桟として使用する段ボールより厚いものが用いられ、又は複数枚の段ボールを積層した構造としている。底面には脚部上に載置した台板が位置ズレしないように、四角形の枠板などで形成した位置決めガイドを設けている。そして、台板は中央にて折畳んで２つ折りされ、重なり合うことが出来る構造としているが、ベッドとして使う際には長く伸ばし、所定の間隔をおいて配置したそれぞれの脚部の上に載置される。
【発明の効果】
【００１１】
本発明に係るベッドは組立て式であり、解体するならば全てが板状体の部品と成る。したがって、持ち運びに際して嵩張ることなく、保管に際してもコンパクトにまとめられ、大きな収容場所は不要となる。すなわち、同じ大きさ・形状の部材ごとにまとめることで、小さい空間に収容することが出来、また保管も間違うことなく容易に行い得る。そして、各部材は全て段ボール製であって、持ち運びは軽くて容易である。
【００１２】
一方、本発明のベッドは複数枚の脚板に複数枚の桟を連結することで脚部を簡単に組み立てることが出来、この脚部に台板を載置することで出来上がる。そして、互いに組み立てられた脚板と桟の上端は同一面に位置し、すなわち、脚部に載った台板は全ての脚板と桟によって支持され、該台板は安定して支持される。一方、段ボール製のベッドは丈夫ではあるが固くはなく、床面に直接横に成って寝る場合のように、体の痛みは軽減される。
【図面の簡単な説明】
【００１３】
【図１】本発明に係る段ボール製の組立て式ベッドを示す実施例。
【図２】本発明に係る段ボール製の組立て式ベッドを示す実施例で、転倒した場合。
【図３】台板が載置される脚部の具体例。
【図４】脚部を構成する部材で、（ａ）は脚板、（ｂ）は桟、（ｃ）は別の桟をそれぞれ表わしている。
【図５】台板の底面を示している。
【図６】テーブルの脚板を示す具体例。
【図７】テーブルと椅子を配置した場合。
【発明を実施するための形態】
【００１４】
図１、図２は本発明に係る段ボール製の組立て式ベッドを示す実施例で、図１は起立した状態を、図２は転倒した状態をそれぞれ表している。本発明のベッドは脚部１と台板２で構成し、該脚部１と台板２は分離出来る構造と成っており、また台板２は中央（Ｏ−Ｏ）にて２つ折りされ、脚部１は複数の部材に分解出来る構造としている。
【００１５】
そして、上記脚部１及び台板２は段ボール製とし、そのために該ベッドは軽く、しかし人が横に成って寝るには十分な強度を備えている。図２は転倒した状態の底部を示し、脚部１の構造を明らかにしているが、該脚部１は２枚の脚板３，３と２枚の桟４，４、及び１枚の桟５で構成している。このような段ボール製の部材で構成した２基の脚部１，１を所定の間隔をおいて配置し、両脚部１，１に台板２を載置している。
【００１６】
図３は脚部１を単独で表しているが、所定の間隔をおいて起立した両脚板３，３は、上記桟４，４、及び桟５によって連結して構造体を構成している。段ボール製の脚板３，３、及び桟４，４，５は起立した状態で組み合わされ、その為に上方からの荷重に対しては強度的に強く、この上に台板２が載り、台板上に人が横に成っても該脚部１が潰れることはない。そして、脚部１を構成している脚板３の上端６、桟４，４の上端７，７、それに桟５の上端８は同一面となっており、脚部１の上に載置される台板２を均等に支えることが出来る。すなわち、台板２を２枚の脚板３，３のみで支持している訳でない。
【００１７】
図４は脚部１を構成する部材であり、（ａ）は脚板３、（ｂ）は桟４、（ｃ）は桟５をそれぞれ表している。これら脚板３、桟４、及び桟５は段ボールを所定の大きさの長方形に裁断した部材であり、（ａ）に示す脚板３にはその両側に上端６からスリット溝９，９を下方へ延ばし、また中央には別のスリット溝１０を下方へ延ばしている。
【００１８】
一方、（ｂ）に示す桟４は細長い長方形とし、その両側には下端１１から上方へスリット溝１２，１２を延ばしている。さらに、（ｃ）に示す桟５も長方形とし、その両側には下端１３から上方へスリット溝１４，１４を延ばしている。
ところで、脚板３の中央スリット溝１０には桟５が嵌り、同時に桟５に設けたスリット溝１４には脚板３が嵌合する。同じく、脚板３の両側に形成したスリット溝９，９には桟４，４が嵌り、桟４に形成したスリット溝１２には脚板３が嵌合することが出来る。
【００１９】
ここで、脚板３に設けている両側のスリット溝９，９の長さＡは、桟４のスリット溝１２の底から上端７までの距離Ａと成っている。従って、桟４が脚板３のスリット溝９に嵌って組み合わされた場合、桟４の上端７は脚板３の上端６と一致する。一方、桟５のスリット溝１４の底から上端８までの距離Ｂは脚板３の中央に設けたスリット溝１０の長さＢと同じとしている。従って、脚板３に組み合わされた桟５の上端８は脚板３の上端６と一致することになり、前記図３に示すように同一面を有す脚部１が構成される。
【００２０】
図５は２つ折り構造の台板２を示す具体例である。該台板２は中央の継手１５を介して折畳まれるが、人が載っても耐えることが出来るように厚い段ボールが用いられている。又は複数枚の段ボールを積層した構造とすることが出来る。ここで、台板２は左台板２０と右台板２１を有し、左右台板２０，２１の上面（表面）には継手１５として機能する折目を形成した１枚の段ボールが貼着されることで折畳まれるようにしている。
そして、図５に示しているように、左右台板２０，２１の下面には浅い凹部１６が形成され、この凹部１６に脚部１の上端部が位置ズレすることなく嵌合することが出来る。
【００２１】
勿論、凹部１６の底面２２は平坦な面と成っている。すなわち、左右台板２０，２１の底面２２には四角形の枠板１７が貼着され、この枠板１７によって底面中央部は浅い凹部１６と成っている。
脚部１の上端部は該枠板１７の内部である凹部１６に嵌合して位置決めされる。そして、枠板１７には内部からスリット溝１８，１８・・・を４か所に設けており、このスリット溝１８，１８・・・に脚板３，３の両側端部の上端が嵌合することが出来る。
【００２２】
このように、本発明に係る組立式ベッドは両脚板３，３を桟４，４，５によって連結することで脚部１が組み立てられ、この脚部１，１に左右台板２０，２１を載置することで簡単に組み立てることが出来る。
ところで、実施例で示すベッドの幅は比較的狭く、そこで２台を並設するならばセミダブルベッドに相当する広幅のベッドと成る。
【００２３】
このように構成したベッドは被災地において、例えば広い体育館に避難している人は自分で簡単に組み立てて使うことが可能であり、床面に直接横になって寝る場合に比べて楽である。段ボール製である為に台板２は硬くなく、寝る際の体の痛みは和らげられる。そして、本発明の組立て式ベッドの使い方は自由であるが、ベッドは段ボールなどを起立して作ったブースの内部に配置することも出来る。
【００２４】
ところで、本発明のベッドは脚板３を交換することでテーブルとして使用することが出来る。すなわち、テーブルはベッドに比べて台板２の位置が高く、その為に脚板１９は図６に示すような高さの高いものを使用する。両脚板１９，１９を連結する桟４，４，５はそのまま兼用することが出来、その為に脚板１９の上端から下方へ延びるスリット溝１０、９，９に長さは脚板３に形成した場合と同じである。
【００２５】
図７はテーブルと椅子が対を成して配置した使用例であり、この場合の椅子としては前記図１に示したベッドが用いられる。すなわち、セミダブルとして使っている場合であれば、片方のベッドの脚板を交換することでテーブルに成り、食事をする際には、図７のように使用することが可能となる。
【符号の説明】
【００２６】
１   脚部
２   台板
３   脚板
４   桟
５   桟
６   上端
７   上端
８   上端
９   スリット溝
10   スリット溝
11   下端
12   スリット溝
13   下端
14   スリット溝
15   継手
16   凹部
17   枠板
18   スリット溝
19   脚板
20   左台板
21   右台板
22   底面
【図１】
2016106743.tif 000003
【図２】
2016106743.tif 000004
【図３】
2016106743.tif 000005
【図４】
2016106743.tif 000006
【図５】
2016106743.tif 000007
【図６】
2016106743.tif 000008
【図７】
2016106743.tif 000009